(57)【特許請求の範囲】
【請求項１】
ベースプレートと、前記ベースプレートとの間に通風路を構成するフード本体と、前記通風路の内壁面に設けられた吸音材とを備える防音換気扇フードにおいて、
前記吸音材は、可撓性のある多孔質材料で形成されているとともに、その表面に設定された基準面から突出した多数の山型突起を有しており、
前記ベースプレートには、室内外を連通する通気パイプに連通する通気孔が形成されており、
前記通気孔を覆うようにして、多数の通風孔を有する半球状の風路カバーが前記フード本体に向けて取り付けられていることを特徴とする防音換気扇フード。
【請求項２】
前記ベースプレートと前記フード本体との間には、前記通風路を給気路と排気路とに二分する仕切板が設けられていることを特徴とする請求項１に記載の防音換気扇フード。
【請求項３】
前記吸音材において、前記多数の山型突起は、升目を構成する格子状の配列ラインの交点に配設されており、前記基準面は、前記配列ライン上に存在する前記山型突起間の谷底に設定されており、前記升目の中央部には、前記基準面から没入した凹部が設けられている請求項１または２に記載の防音換気扇フード。
【請求項４】
前記通風路の内壁面と前記吸音材との間には、遮音シートが介装されている、請求項１ないし３のいずれかに記載の防音換気扇フード。
【発明の詳細な説明】
【技術分野】
【０００１】
本発明は、防音換気扇フードに関し、特に、高い防音性能を有するとともに、小型化の要請に応えることのできる、防音換気扇フードに関する。
【背景技術】
【０００２】
近年では、公共施設等の他、一般家庭用住宅においても、ホームシアター室、ピアノ室、寝室などの高い防音性が求められる部屋が増加しつつある。そして、従来、このような部屋に換気扇を設置する際には、屋外や換気扇で発生した騒音が室内へ侵入するのを防止するために、あるいは、室内で発生したピアノ等の音が屋外へ漏れるのを防止するために、図１０に示すような防音換気扇フード(1)を併設するようにしていた（特許文献１および２参照）。
【０００３】
従来の防音換気扇フード(1)は、空気流路(A)を有するボックス状のフード本体(2)と、空気流路(A)の内壁面に取り付けられた吸音材(3a)〜(3d)とによって構成されており、吸音材(3a)〜(3d)としては、グラスウールを接着剤で固めてなる硬質の板材やマットが用いられていた（特許文献１および２参照）。そして、この防音換気扇フード(1)が壁(4)の一方の壁面に取り付けられ、換気扇(5)が壁(4)の他方の壁面に取り付けられ、換気扇(5)の排気口（または給気口）と防音換気扇フード(1)の給気口（または排気口）とが、壁(4)を貫通して配設された通気パイプ(6)を介して連通されていた。
【特許文献１】特開平６−２９１２号公報（図３）
【特許文献２】特開平１０−２８１５１５号公報
【発明の開示】
【発明が解決しようとする課題】
【０００４】
従来の防音換気扇フード(1)では、吸音材(3a)〜(3d)として、前記グラスウールからなる硬質の板材やマットを用いていたので、吸音材(3a)〜(3d)が取り付けられる空気流路(A)の内壁面は、平面を基調とした画一的な形状でなければならず、騒音の伝播特性やデザイン性を考慮した適切な形状設計が困難であるという問題があった。
【０００５】
また、板状またはマット状の吸音材(3a)〜(3d)を用いて所定の防音性能を得るためには、フード本体(2)をボックス状の大きなものにして、吸音材(3a)〜(3d)の表面積を広く確保する必要があるが、そうすると、防音換気扇フード(1)を住宅の壁面に設置したときの見栄えが悪くなるとともに、運搬や取付けの作業性が悪くなるという問題があった。
【０００６】
それゆえに、本発明の解決課題は、高い防音性能を有しながら、形状設計の自由度を高めることができ、さらに、小型化の要請に応えることができる、防音換気扇フードを提供することである。
【課題を解決するための手段】
【０００７】
請求項１に記載した発明は、「ベースプレート(86)と、ベースプレート(86)との間に通風路(X)を構成するフード本体(88)と、通風路(X)の内壁面に設けられた吸音材(36)とを備える防音換気扇フード(60)において、吸音材(36)は、可撓性のある多孔質材料によって形成されているとともに、その表面に設定された基準面(S)から突出した多数の山型突起(56)を有しており、ベースプレート(86)には、室内外を連通する通気パイプ(16)に連通する通気孔(40)が形成されており、通気孔(40)を覆うようにして、多数の通風孔(78a)を有する半球状の風路カバー(78)がフード本体(88)に向けて取り付けられていることを特徴とする防音換気扇フード(60)」である。
【０００８】
この発明では、吸音材(36)が多孔質材料によって形成されているので、吸音材(36)に入射した騒音は、空気の粘性抵抗等によって熱エネルギに変換されて吸音される。また、吸音材(36)は、多数の山型突起(56)を有しているので、従来の吸音材(3a)〜(3d)よりも騒音が入射する表面積が大きくなり、高い吸音性能を得ることができる。さらに、吸音材(36)は、可撓性材料で形成されているので、フード本体(88)の内面が曲面であっても、その内面に沿って吸音材(36)を容易に取り付けることができる。
【０００９】
請求項２に記載した発明は、請求項１に記載した「防音換気扇フード(60)」において、「ベースプレート(86)とフード本体(88)との間には、通風路(X)を給気路(Xa)と排気路(Xb)とに二分する仕切板(80)が設けられている」ことを特徴とする。
この発明の防音換気扇フード(60)は、給気路(Xa)に給気を通し、かつ、排気路(Xb)に排気を通すことができるので、給気機能と排気機能とを併有する換気装置(62)にも適用することができる。
【００１０】
請求項３に記載した発明は、請求項１または２に記載した「防音換気扇フード(60)の吸音材(36)」において、「多数の山型突起(56)は、升目を構成する格子状の配列ラインの交点に配設されており、基準面(S)は、配列ライン上に存在する山型突起(56)間の谷底に設定されており、升目の中央部には、基準面(S)から没入した凹部(58)が設けられている」ことを特徴とする。
この発明では、基準面(S)から突出した山型突起(56)と、基準面(S)から没入した凹部(58)とによって、吸音材(36)の表面積を広く確保することができる。
【００１１】
請求項４に記載した発明は、請求項１ないし３のいずれかに記載した「防音換気扇フード(60)」において、「通風路(X)の内壁面と吸音材(36)との間には、遮音シート(38)が介装されている」ことを特徴とする。
【００１２】
この発明では、吸音材(36)によって騒音を吸音するとともに、遮音シート(38)によって騒音を遮音することができる。
【発明の効果】
【００１３】
請求項１〜４に記載した発明によれば、多数の山型突起(56)によって吸音材(36)の表面積を広く確保するとともに、多孔質材料における空気の粘性抵抗等を利用して騒音を効率よく吸音するようにしているので、従来のグラスウールからなる板状またはマット状の吸音材(3a)〜(3d)に比べて防音性能を飛躍的に高めることができ、ひいては、防音換気扇フード(60)の小型化を図ることができる。また、吸音材(36)は、可撓性材料によって形成されているので、フード本体(88)の内面が曲面であっても、その曲面に吸音材(36)を容易に取り付けることが可能となり、騒音の伝播特性やデザイン性を考慮した適切な形状設計が可能となる。
また、請求項２に記載した発明によれば、給気機能と排気機能とを併有する換気装置(62)にも適用可能な防音換気扇フード(60)を提供できる。
【００１４】
請求項３に記載した発明によれば、多数の凹部(58)によって吸音材(36)の表面積をより広く確保するようにしているので、防音性能をより高めることができる。
【００１５】
請求項４に記載した発明によれば、フード本体(88)と吸音材(36)との間に遮音シート(38)を介装しているので、吸音材(36)と遮音シート(38)との相乗効果によって、防音性能をより高めることができる。
【発明を実施するための最良の形態】
【００１６】
以下、本発明を図示実施例に従って詳述する。
【実施例１】
【００１７】
本発明が適用された防音換気扇フード(10)は、図１に示すように、建物の壁(12)において、換気扇(14)および通気パイプ(16)と協働して、室内空気を換気するための換気装置(18)を構成するものである。なお、防音換気扇フード(10)は、壁(12)の屋内側または屋外側のいずれの壁面に取り付けられてもよいが、本実施例では、屋外側の壁面に取り付けた状態を示している。
【００１８】
壁(12)は、それ自体の防音性を確保するために、複数の板状部材を層状に接合することによって構成されており、より具体的には、モルタル(20)と、シージングボード(22)と、グラスウール(24)と、遮音パネル(26)と、音響用室内壁材(28)とを、屋外側から屋内側へこの順に接合することによって構成されている。
【００１９】
換気扇(14)は、室内空気を屋外へ排出するものであり、吸気口(30a)と排気口(30b)とを有する略円筒状のケーシング(30)と、ケーシング(30)の内部に配設されたファン（図示省略）とによって構成されている。そして、この換気扇(14)が、建物の壁(12)における屋内側の壁面に、ボルト・ナット等のような取付け部材を用いて取り付けられている。
【００２０】
通気パイプ(16)は、換気扇(14)の排気口(30b)から排出された空気を屋外へ導くものであり、屋外側から屋内側へ向かって上向きに傾斜するようにして、壁(12)を貫通して配設されている。なお、通気パイプ(16)を傾斜させているのは、通気パイプ(16)内に生じた結露水や、台風などのときの雨水が屋内へ侵入するのを防止するためである。
【００２１】
防音換気扇フード(10)は、屋外、屋内または換気扇(14)で発生した騒音や、空気の通過音を吸音するとともに、通気パイプ(16)から供給された空気を屋外へ導くものであり、ベースプレート(32)と、フード本体(34)と、吸音材(36)と、遮音シート(38)とによって構成されている。
【００２２】
ベースプレート(32)は、図２に示すように、略長方形状の板状部材であり、その上辺は、円弧状に形成されており、その両側辺は、滑らかな曲線状に形成されている。そして、ベースプレート(32)の上部には、通気パイプ(16)と連通される通気孔(40)が形成されており、ベースプレート(32)の４隅には、取付けネジ(42)が挿通される取付け孔(44)が形成されている。
【００２３】
フード本体(34)は、図１および図３に示すように、前面に開口部(46)を有し、この開口部(46)に装着されるベースプレート(32)と協働して略逆Ｌ状の通風路(X)を構成するものであり、略八状に傾斜した左右の側面構成部(48)と、略円弧状に湾曲した上面構成部(50)と、背面構成部(52)とによって略船底状に形成されている。そして、フード本体(34)の下面は、通風路(X)の出口(54)として下方へ向けて開口されている。
【００２４】
なお、フード本体(34)の「材質」および「形状」は、特に限定されるものではないが、「材質」としては、プラスチック、ＦＲＰ、金属などを用いることができ、「形状」としては、直方体、半円形、半円筒形などを採用することができる。また、フード本体(34)の「サイズ」は、この実施例では、「長さ４５ｃｍ×幅３０ｃｍ×厚さ１４．５ｃｍ」である。
【００２５】
吸音材(36)は、図４に示すように、軟質合成樹脂発泡体であって、例えば軟質ウレタン樹脂発泡体等のような可撓性のある多孔質材料で形成されており、吸音材(36)の一方の面には、その表面に設定された基準面(S)から突出した多数の山型突起(56)が設けられており、また、山型突起(56)間には、基準面(S)から没入した多数の凹部(58)が設けられている。そして、この吸音材(36)が、フード本体(34)における通風路(X)の内壁面に、接着剤、両面粘着テープ、ボルト、ビス等を用いて遮音シート(38)を介して取り付けられている。
【００２６】
なお、吸音材(36)の「サイズ」は、この実施例では、全厚４８ｍｍ、山型突起(56)の高さ１４ｍｍ、凹部(58)の深さ１４ｍｍであり、吸音材(36)の表面１００ｃｍ２あたりに２２個の山型突起(56)および凹部(58)が形成されている。また、山型突起(56)および凹部(58)の「形状」や「数」は、特に限定されるものではないが、山型突起(56)の頂部と凹部(58)の底部との高低差が１０ｍｍ以上であって、山型突起(56)および凹部(58)の数が吸音材(36)の表面１００ｃｍ２あたり５個以上であることが、防音性を高める上で好ましい。
【００２７】
遮音シート(38)は、塩化ビニル樹脂、オレフィン系樹脂、合成ゴムなどの熱可塑性樹脂に硫酸バリウム、炭酸カルシウム、金属粉などの重質無機質充填材を混合した遮音性材料によって形成されたシート状部材であり、遮音シート(38)の厚さは、１〜３ｍｍ程度に設定されている。そして、この遮音シート(38)が、フード本体(34)と吸音材(36)との間に介装されている。したがって、防音換気扇フード(10)自体が振動した場合でも、遮音シート(38)によって騒音の発生を防止することができる。
【００２８】
防音換気扇フード(10)を壁(12)に取り付ける際には、図５に示すように、まず、ベースプレート(32)の通気孔(40)を通気パイプ(16)の端部に位置決めする。続いて、ベースプレート(32)の取付け孔(44)に取付けネジ(42)を挿通し、この取付けネジ(42)を壁(12)にねじ込むことによって、ベースプレート(32)を壁(12)の屋外側に取り付ける。そして、ベースプレート(32)と壁(12)との隙間にシリコン材料等からなるコーキング剤を塗布する。その後、ベースプレート(32)の外周にフード本体(34)の開口部(46)を嵌合し、取付けネジ等のような取付け部材(図示省略)を用いてフード本体(34)をベースプレート(32)に取り付ける。
【００２９】
なお、この実施例では、ベースプレート(32)を壁(12)に取り付ける手段として、取付けネジ(42)を用いているが（図５参照）、取付けネジ(42)に代えて、プラグまたはアンカー等のような他の取付け部材を用いるようにしてもよい。
【００３０】
換気装置(18)において、換気扇(14)を運転すると、換気扇(14)の吸気口(30a)から室内の空気(Y)が吸い込まれ、この空気(Y)が排気口(30b)から通気パイプ(16)を通して防音換気扇フード(10)の通風路(X)に与えられる。そして、この空気(Y)が吸音材(36)の表面に衝突しながら通風路(X)を下方へ進み、出口(54)から屋外へ排出される。なお、屋外の空気を室内へ給気する場合には、換気扇(14)を逆回転させることによって、空気を逆向きに流すことになる。
【００３１】
また、換気扇(14)を駆動すると、換気扇(14)で発生した回転音や風切り音が、屋外で発生した騒音と共に室内へ伝播され、あるいは、室内で発生した騒音（人の足音などの生活音やピアノ音等）と共に屋外へ伝播される。しかし、これらの音は、防音換気扇フード(10)を構成する吸音材(36)で効率よく吸音されて大幅に減衰されるため、従来の防音換気扇フード(1)（以下、「従来品」という。）に比べて高い防音効果を得ることができる。
【００３２】
つまり、本発明に係る防音換気扇フード(10)では、吸音材(36)が「多数の山型突起(56)と多数の凹部(58)とを有する多孔質材料」で形成されていることから、グラスウールからなる板材やマットを吸音材として用いていた従来品に比べて、騒音が入射する表面積が大きくなり、吸音効率を高くすることができる。したがって、従来品と同等の防音性能を、従来品よりも小型の防音換気扇フード(10)で達成することが可能となり、運搬性や取付け作業性を高めることができる。
【００３３】
また、防音換気扇フード(10)では、吸音材(36)が「可撓性材料」で形成されていることから、空気流路(A)の内壁面が曲面を多用した形状であっても、この内壁面に吸音材(36)を取り付けることが可能であり、防音性能を犠牲にすることなく、従来品にはない斬新なデザインの防音換気扇フード(10)を製作することができる。
【００３４】
さらに、防音換気扇フード(10)では、ベースプレート(32)とフード本体(34)との２部材で構成されていることから、通気路(X)の清掃や吸音材(36)の補修などの保守・点検作業が容易である。
【００３５】
なお、この実施例では、通風路(X)を構成するフード本体(34)の内面にのみ吸音材(36)を取り付けているが、防音効果を高めるために、通風路(X)を構成するベースプレート(32)の内面にも吸音材(36)を取り付けるようにしてもよい。
【実施例２】
【００３６】
図６に示した実施例２に係る防音換気扇フード(60)は、給気機能と排気機能とを併有する換気装置(62)に適用されるものである。この換気装置(62)では、パイプ仕切板(64c)により内部が２つの空間に仕切られており、一方の空間を給気路(64a)とし、他方の空間を排気路(64b)とする通気パイプ(64)が壁(12)を貫通して配設されており、通気パイプ(64)の一方端部には、給気路(64a)および排気路(64b)のそれぞれに対応して、給気用換気扇および排気用換気扇（図示省略）が接続されている。また、通気パイプ(64)の他方端部には、仕切部材(66)が接続されており、この仕切部材(66)に防音換気扇フード(60)が接続される。
【００３７】
仕切部材(66)は、図７に示すように、壁(12)の外側面に固定されるリング状の固定部(68)と、固定部(68)の内周縁から軸方向へ延びて形成された筒状のノズル部(70)と、固定部(68)およびノズル部(70)の中央部に配設された半円形の仕切板(72)とによって構成されており、固定部(68)には、取付けネジ(74)が挿通される複数の孔(76)が形成されている。そして、孔(76)に挿通された取付けネジ(74)によって、仕切部材(66)が壁(12)に固定されている。
【００３８】
防音換気扇フード(60)は、図６、図８および図９に示すように、実施例１に係る防音換気扇フード(10)に対して、風路カバー(78)と、仕切板(80)と、仕切板(82)と、水切板(84)とを付加したものである。
【００３９】
すなわち、防音換気扇フード(60)を構成するベースプレート(86)には、図８に示すように、通気孔(40)を覆うようにして、多数の通風孔(78a)を有する半球状の風路カバー(78)が取り付けられており、この風路カバー(78)によって、仕切部材(66)の仕切板(72)を収容する収容空間が確保されている。また、ベースプレート(86)の内面および風路カバー(78)の背面には、仕切板(80)が形成されており、この仕切板(80)によって、通風路(X)が給気路(Xa)と排気路(Xb)とに二分されている。また、ベースプレート(86)の下端部には、壁(12)面から離間して水切板(84)が「へ」の字状に形成されている。一方、防音換気扇フード(60)を構成するフード本体(88)には、図９に示すように、ベースプレート(86)の仕切板(80)と連続する仕切板(82)が形成されている。
【００４０】
さらに、防音換気扇フード(60)では、図９に示すように、フード本体(88)の下端部、すなわち通風路(X)の出口(54)に、補強材(90)と羽根(92)とによってギャラリ(94)が形成されている。
【００４１】
実施例２に係る防音換気扇フード(60)によれば、給気路(Xa)に給気を通し、かつ、排気路(Xb)に排気を通すことができるので、給気機能と排気機能とを併有する換気装置(62)にも適用することができる。また、半球状の風路カバー(78)によって、半円形の仕切板(72)を収容する収容空間を確保するようにしているので、仕切板(72)が開閉可能な防火ダンパーであったとしても、それが開閉するための空間を確保することができる。つまり、風路カバー(78)によって、吸音材(36)を押圧・圧縮することで、防火ダンパーが開閉するための空間を容易に確保することができる。
【図面の簡単な説明】
【００４２】
【図１】防音換気扇フードの使用状態を示す断面図である。
【図２】ベースプレートを示す正面図である。
【図３】フード本体を示す正面図である。
【図４】吸音材を示す断面図である。
【図５】防音換気扇フードの取付け方法を示す分解斜視図である。
【図６】他の防音換気扇フードおよびその取付け方法を示す分解斜視図である。
【図７】仕切部材を示す正面図および側面図である。
【図８】他の防音換気扇フードを構成するベースプレートを示す正面図である。
【図９】他の防音換気扇フードを構成するフード本体を示す斜視図である。
【図１０】従来技術を示す断面図である。
【符号の説明】
【００４３】
(10)…防音換気扇フード
(32)…ベースプレート
(34)…フード本体
(36)…吸音材
(38)…遮音シート
(60)…他の防音換気扇フード
(66)…仕切部材
(78)…風路カバー
(84)…水切板
(86)…他の防音換気扇フードを構成するベースプレート
(88)…他の防音換気扇フードを構成するフード本体
(94)…ギャラリ
【図１】
0004741889.tif 000002
【図２】
0004741889.tif 000003
【図３】
0004741889.tif 000004
【図４】
0004741889.tif 000005
【図５】
0004741889.tif 000006
【図６】
0004741889.tif 000007
【図７】
0004741889.tif 000008
【図８】
0004741889.tif 000009
【図９】
0004741889.tif 000010
【図１０】
0004741889.tif 000011